(57)【要約】      （修正有）【課題】ＤＶＤ等を貸出しケースに収容して店内の棚に陳列する場合、盗難に遭わず、貸出しケースを顧客に貸し出す際にロックを素早く解錠出来る貸出しケースの提供。【解決手段】貸出しケースは本体ケース１と本体ケース１を閉じる蓋２から成り、ケースの外側開口４から警報装置が感知するタグシール等を有すロックプレート３をロックプレート収容空間５にスライドして嵌入することで蓋２が開かないようにロックする構造とし、ロックプレート３は平板部１０とコ形断面の挟持部１１から成って、背面側には磁石３２又は磁性体を設け、又挟持部１１には撓み変形するアーム先端にロックツメ１５ａ，１５ｂを形成すると共に該アーム３０ａ，３０ｂには磁石３１ａ，３１ｂ又は磁性体を取付け、該ロックプレート３をケースのロックプレート収容空間７へ挿入することでアーム先端のロックツメ１５ａ，１５ｂをケースに設けた係止部８などに係止してロックされる。【選択図】図６
2006232371.tif 000002
【特許請求の範囲】
【請求項１】
店内の棚に陳列したＤＶＤ等が盗難に遭わないように盗難防止機能を備えたＤＶＤ等の貸出しケースにおいて、該貸出しケースはＤＶＤ等の中心穴に嵌るヘソを備えた本体ケースと本体ケースを閉じる蓋から成り、ケースの外側開口から警報装置が感知するタグシール等を有すロックプレートをロックプレート収容空間にスライドして嵌入することで蓋が開かないように互いに噛み合ってロックする構造とし、ロックプレートは平板部とコ形断面の挟持部から成って、背面側には磁石又は磁性体を設け、又挟持部には撓み変形するアーム先端にロックツメを形成すると共に該アームには磁石又は磁性体を取付け、該ロックプレートをケースのロックプレート収容空間へ挿入することでアーム先端のロックツメをケースに設けた係止部などに係止してロックすることを特徴とする盗難防止機能を備えたＤＶＤ等の貸出しケース。
【請求項２】
店内の棚に陳列したＤＶＤ等が盗難に遭わないように盗難防止機能を備えたＤＶＤ等の貸出しケースにおいて、該貸出しケースはＤＶＤ等の中心穴に嵌るヘソを備えた本体ケースと本体ケースを閉じる蓋から成り、ケースの側面開口から警報装置が感知するタグシール等を有すロックプレートをロックプレート収容空間にスライドして嵌入することで蓋が開かないように互いに噛み合ってロックする構造とし、ロックプレートは平板部とコ形断面の挟持部から成って、先端部には磁石を設け、又挟持部には撓み変形するアーム先端にロックツメを形成すると共に該アームには磁石又は磁性体を取付け、該ロックプレートをケースのロックプレート収容空間へ挿入することでアーム先端のロックツメをケースに設けた係止部などに係止してロックすることを特徴とする盗難防止機能を備えたＤＶＤ等の貸出しケース。
【請求項３】
本体ケース及び蓋の外側縁には内側へ突出するガイド片を設け、該ガイド片をロックプレートの挟持部に形成した側片にて挟み込んだ請求項１記載の盗難防止機能を備えたＤＶＤ等の貸出しケース。
【請求項４】
本体ケースの内面及び蓋の内面から夫々リングを起立して設け、ロックプレートの先端に嵌入バーを延ばし、該嵌入バーを上記各リングの嵌入穴に嵌入した請求項１、請求項２、又は請求項３記載の盗難防止機能を備えたＤＶＤ等の貸出しケース。
【請求項５】
上記嵌入バー及び挟持部先端に磁石を取付けた請求項４記載の盗難防止機能を備えたＤＶＤ等の貸出しケース。
【請求項６】
店内の棚に陳列したＤＶＤ等が盗難に遭わないように盗難防止機能を備えたＤＶＤ等の貸出しケースであって、該貸出しケースはＤＶＤ等の中心穴に嵌るヘソを備えた本体ケースと本体ケースを閉じる蓋から成り、ケースの外側開口から警報装置が感知するタグシール等を有すロックプレートをロックプレート収容空間にスライドして嵌入することで蓋が開かないように互いに噛み合ってロックする構造とし、ロックプレートは平板部とコ形断面の挟持部から成って、背面側には磁石又は磁性体を設け、又挟持部には撓み変形するアーム先端にロックツメを形成すると共に該アームには磁石又は磁性体を取付け、該ロックプレートをケースのロックプレート収容空間へ挿入することでアーム先端のロックツメをケースに設けた係止部などに係止してロックするように構成した貸出しケースのロックプレートを解錠する解錠具において、該解錠具は底部と起立部を有すＬ形を成し、底部にはアームを引き寄せる為の磁石を設け、起立部には上記ロックプレートを引き付ける為の磁石を備えたことを特徴とするロックプレートの解錠具。
【請求項７】
店内の棚に陳列したＤＶＤ等が盗難に遭わないように盗難防止機能を備えたＤＶＤ等の貸出しケースであって、該貸出しケースはＤＶＤ等の中心穴に嵌るヘソを備えた本体ケースと本体ケースを閉じる蓋から成り、ケースの側面開口から警報装置が感知するタグシール等を有すロックプレートをロックプレート収容空間にスライドして嵌入することで蓋が開かないように互いに噛み合ってロックする構造とし、ロックプレートは平板部とコ形断面の挟持部から成って、先端部には磁石を設け、又挟持部には撓み変形するアーム先端にロックツメを形成すると共に該アームには磁石又は磁性体を取付け、該ロックプレートをケースのロックプレート収容空間へ挿入することでアーム先端のロックツメをケースに設けた係止部などに係止してロックするように構成した貸出しケースのロックプレートを解錠する解錠具において、該解錠具は底部と起立部を有すＬ形を成し、底部にはアームを引き寄せる為の磁石を設け、起立部には上記ロックプレートの先端側に取付けた磁石と互いに反発するように磁極を向けて磁石を備えたことを特徴とするロックプレートの解錠具。
【発明の詳細な説明】
【技術分野】
【０００１】
本発明はレンタルショップの棚に陳列されているＤＶＤ、ＣＤ、ゲームソフト等を盗難から守ることが出来る盗難防止機能を備えた貸出しケース及び解錠具に関するものである。
【背景技術】
【０００２】
ビデオテープの場合も同じであるが、ＤＶＤをケースのまま店内の陳列棚に直接配列している場合には盗難に遭うケースが多い。勿論、ＤＶＤの貸出しケースには盗難防止用のタグシールが貼着されていて、店の出入り口にある盗難防止ゲートをそのまま通過することで警報が鳴るようなシステムを採用している。しかし、このタグシールを剥してしまうならば、そのまま持ち出しても盗難防止ゲートが感知して警報を発することはない。
【０００３】
そこで、ＤＶＤを入れた貸出しケースをさらに別の陳列用ケースに入れた状態で店内の陳列棚に配列している場合が多い。そこで顧客は陳列ケースから取出して店のカウンターへ運んで借りることが出来る。この際、店員は所定の手続きをとった上でＤＶＤを収容した貸出しケースを顧客に手渡すことになるが、この該貸出しケースからＤＶＤが取出せるように解錠しなくてはならずこの作業が面倒である場合が多く、複数枚のＤＶＤを借りる場合に時間がかかって顧客に迷惑を掛けることになる。
【０００４】
特許第３３９９４７２８号に係る「ケース」は、陳列や販売以外に貸出しケースになると共に、収納商品の盗難を防止することが出来るものであり、この請求項４には「側面に商品の出し入れ用の開口を有する箱体と、この箱体の下縁側に適宜のヒンジを介して前記開口を開閉するように設けた蓋体と、この蓋体と前記箱体とのそれぞれの側壁の上縁から連なって上方に突出すると共に、延長を内方に７字状に屈曲した屈曲壁によって設けた並列係合溝とで構成したケースと、前記係合溝に連結板を介して対向する両側板の上縁部を前記ケースの閉鎖状態維持の係合状態に、かつ抜き差し自在に差し込んだスライダとから成り、上記スライダと上記ケース或は係合溝との対向面に前記スライダの差し込みにともない押し戻され、かつ差し込み終了にともない係合関係に成りうるような係止手段を設けたことを特徴とするケース。」である。
【０００５】
上記スライダにはダグが貼着されている為に、ケースの係合溝にスライダが差し込まれることで、ケースを開くことが出来ないと共に店からケースごと持ち出すことも出来ない。従って、盗難を防止することが可能と成るが、ケース内に収容されているＤＶＤを貸出しする際にはスライダを抜き取ってケースを開くことが出来る状態にしなくては成らない。本件発明のケースの場合には解除具が用いられ、該解除具をスライダを差し込んだ状態で形成される間隙に挿入して係止手段を解除することが出来るように成っている。
【０００６】
そこで、借りる為に客が持って来た個々のケースに解除具を挿入してスライダを抜き取った状態で貸し出す作業が強いられる。このような解錠操作はＤＶＤの貸出しケースごとに行わなくてはならず、一人の顧客が複数枚のＤＶＤを借りる場合、又別の顧客が貸出し手続きを待っている場合であれば、非常に手間がかかる操作となる。すなわち、複数枚が同時に解錠出来てスピーディな貸出しを行うことが出来るケースが望ましい。
【特許文献１】特許第３３９９４７２８号に係る「ケース」
【発明の開示】
【発明が解決しようとする課題】
【０００７】
このように、従来のＤＶＤ等の貸出しケースをロックしているスライダを解除して貸し出す作業は煩雑化し、客が一度に複数枚のＤＶＤを借りる場合には、貸出しに時間がかかる。本発明が解決しようとする課題はこの問題点であり、ＤＶＤを収容した複数枚の貸出しケースのスライダを簡単に、しかも同時に解除することが出来る盗難防止機能を備えたＤＶＤ等の貸出しケースを提供する。又、その時に使用する解錠具を提供する。
【課題を解決するための手段】
【０００８】
本発明に係るＤＶＤ等の貸出しケースは本体ケースと蓋から成り、蓋は継手部を介して開閉可能な構造とし、閉じることで本体ケースを被覆してＤＶＤ等を収納することが出来る。本体ケースの中央には従来のケースと同じようにＤＶＤ等の中心穴に嵌るヘソが突出して設けられ、そして蓋又は本体ケースには補助ケースを備えることもある。この補助ケースはチャプターシート、宣伝用のチラシ等を入れる為の空間である。
【０００９】
ところで、この貸出しケースは陳列用ケース(外ケース)に収容されて店の陳列棚に陳列されることになるが、貸出しケースからＤＶＤ等が盗まれないように蓋はロックされている。そこでロック構造としてはロックプレートが使用され、貸出しケースに設けた開口から該ロックプレートがスライドして嵌入し、ロックプレートは本体ケースと蓋に噛み合って係合することが出来る。従って、蓋は開くことなく本体ケースにロックされる。
【００１０】
そして、ロックプレートの先端又は後端に磁石が設けられ、解錠具の起立部にも磁石を備えている。その為にロックプレートの磁石は解錠具の磁石に引かれたり、又は押されてロックプレートは開口から外れて取外され、その結果、蓋を開くことが出来る。しかし、通常はロックプレートに取付けているロックツメが貸出しケースに設けている係止部に係止している為に外れない構造と成っている。
【００１１】
そこで、上記ロックツメを係止部から外す為にも磁石が用いられ、磁石の磁気力を利用してロックツメを解錠具の磁石側へ引き寄せて係止部から外し、その状態でロックプレートをスライドして取外すことが出来る構造としている。ここで、ロックプレートにはタグシールが貼着されていて、取外さないで貸出しケースを持ち出すならば、出入り口に設置している防犯装置が感知して警報を発するようなる。
【発明の効果】
【００１２】
本発明のＤＶＤ等の貸出しケースは蓋をロックする為のロックプレートを嵌入していて、このロックプレートを取外すことで蓋を開くことが出来る。そしてロックプレートには撓み変形するアームが取付けられていると共に、該アーム先端にはケース側に設けた係止部に係止する為のロックツメを形成している。そこで、貸出しケースを複数枚重ねて解錠具の底部に置き、上面に設けている磁石によってアームに取付けている磁石又は磁性体が引張られることでロックツメは解錠される。
【００１３】
そして、解除具の起立部に取付けている磁石にロックプレートが引かれ、または逆に押されることでケースからロックプレートが外される。しかも、複数枚の貸出しケース同時に解錠具に載置し、そのロックツメを解錠してロックプレートを取外し出来、貸出しを待つ顧客に迷惑をかけなくて済む。
【実施例】
【００１４】
図１は本発明に係る盗難防止機能を備えたＤＶＤの貸出しケースの外観を示している実施例である。同図の１は本体ケース、２は蓋を示し、蓋２は開閉可能に本体ケース１の縁３に取付けられていて、該本体ケース１に被覆される。本体ケース１にはＤＶＤが収容され、該本体ケース１の中央に突出して設けたヘソがＤＶＤの穴に嵌って取付けられる。ところでＤＶＤは本体ケース１に収容されて蓋２が閉じられ、この状態で、陳列用ケース(図示なし)に入れて店内の棚に配列される。
【００１５】
陳列用ケースにはタイトルシートが備わっている為に、顧客は陳列用ケースからＤＶＤが収容されている貸出しケースを抜取ってカウンターへ持ち運んで借りることが出来る。ところで、本発明の貸出しケースは蓋を開いてＤＶＤが抜取られないように、該蓋はロックされている為に、カウンターではこのロックを解錠して貸出すことになる。すなわち、貸出しケースの蓋２を閉じてロックプレート３を本体ケース１の開口４から嵌入することで蓋２はロックされる構造と成っている為に、貸し出す際には該ロックプレート３が抜き取られる。
【００１６】
図２は本発明に係る貸出しケースの内部構造を示している実施例である。(ａ)は蓋２を透視した本体ケース１及び蓋２の内部形態、(ｂ)は左側面図をそれぞれ示している。本体ケース１にはＤＶＤを収容する為の空間とロックプレート３を嵌入する為の空間が設けられ、ＤＶＤ収容空間5の中央にはヘソ６が突出していて、ＤＶＤの中心穴に嵌るようになっている。このヘソ６は従来のＣＤケースと同じである。
【００１７】
一方のロックプレート嵌入空間7にはロックプレート3がスライドして嵌入し、蓋２が開かないようにロックされる訳であり、(ｂ)に示すように蓋２を閉じた状態でロックプレート３が嵌入する為の開口４を形成している。該開口４から嵌入したロックプレート３は嵌入完了に伴ってロックされ、解錠具にて解錠しない限り抜き取ることが出来なくなる。
【００１８】
その為に、本体ケース１のロックプレート収容空間５には係止部８ａ，８ｂ、及び係止溝９が設けられ、差し込まれたロックプレート３のロックツメが係止することが出来る。同時に、差し込まれたロックプレート３によって蓋２が開かないような構造と成っている。図３はこのロックプレート３を示す具体例であるが、ロックプレート３は平板部１０とコ型断面の挟持部１１を有し、挟持部１１は全長にわたって形成され、平板部１０の先端には嵌入バー１３を突出して設けている。
【００１９】
そして平板部１０の背面側にはコ型の挟持片１２ａ，１２ｂが２箇所に設けている。一方、コ型をした上記挟持部１１の内部には基部１４ａ，１４ｂを支点として撓み変形するロックツメ１５ａ，１５ｂが設けられ、該ロックツメ１５ａ，１５ｂの先端部は挟持部背面１６から内側へ突出している。このロックツメ１５ａ，１５ｂは背面１６から突出した状態にあるが、撓み変形するならば上記背面１６から後退することになる。
【００２０】
ところで、このロックプレート３を上記貸出しケースの開口４からロックプレート嵌入空間７へ挿入するならば、平板部１０は蓋面に接してガイドされ、本体ケース１の内面から起立した係止部８ａ，８ｂ、及び各リブ１７，１７・・との隙間に嵌る。又、挟持部１１の両側片１８，１８は本体ケース１及び蓋２の外側縁から内側へ延びるガイド片１９，１９を挟み込み、同じくガイド片２０，２０を挟み込むことが出来る。
【００２１】
さらに、本体ケース面から突出して設けられているリング２３の嵌入穴２１、及び蓋面から突出して設けているリング２４の嵌入穴２２にはロックプレート３の先端に形成している嵌入バー１３が嵌入する。一方、ロックプレート嵌入空間７の蓋側入口付近に設けている係止穴３４ａ，３４ｂに挟持片１２ａ，１２ｂが嵌る。従って、ロックプレート３が挿入されるさらば、上記ガイド片１９，１９、２０，２０、及び嵌入穴２１，２２、さらには係止穴３４ａ，３４ｂを拘束することで蓋２は開くことが出来なくなる。しかも、ロックツメ１５ａ，１５ｂが係止部８ａ，８ｂ、及び係止溝９に係止することで取外すことも出来ない。
【００２２】
図４は外側縁に設けたガイド片１９，１９をロックプレート３の挟持部側片１８，１８が挟み込んでいる状態の断面を、図５(ａ)は本体ケース１の内面から起立して設けたリング２３の嵌入穴２１に嵌入バー１３が嵌入している場合、図５(ｂ)は蓋２の内面から起立して設けたリング２４の嵌入穴２２に嵌入バー１３が嵌入している場合の断面図を示している。本体ケース側と蓋側から起立して設けたリング２３，２４の嵌入穴２１，２２に連続した嵌入バー１３が嵌入することで蓋２はロックされる。
【００２３】
図6〜図８はロックプレート３をケースから解錠具２５を用いて抜き取る場合を示している。該解錠具２５は底部２６と該底部２６に対して垂直に起立する起立部２７を有すＬ形を成し、底部２６には磁石２８ａ，２８ｂを取付け、起立部２７にも磁石２９を備えている。このように構成した解錠具２５に貸出しケースを図６に示すように載置する。
【００２４】
ところで、底部２６に備えている磁石２８ａ，２８ｂはロックツメ１５ａ，１５ｂを先端に形成したアーム３０ａ，３０ｂに取着している磁石３１ａ，３１ｂを引き寄せる。すなわち、該アーム３０ａ，３０ｂは磁石側へ撓み変形することが出来、その結果、ロックツメ１５ａは係止部８ａから解除され、ロックツメ１５ｂは係止溝９から解除される。
【００２５】
一方、ロックプレート３の背面側には磁石３２が設けられ、この磁石３２は起立部２７に備わっている磁石２９に引かれ、貸出しケースを図７のように引くならばロックプレート３は解錠具２５の磁石２９に引かれて引き抜くことが出来る。図８はロックプレート３が完全に引き抜かれた場合を示している。実施例ではロックプレート３及び解錠具２５に磁石を備えているが、互いに引き合う何れか片方のみ磁石とし、対向側にはスチールなどの磁性体を取付ける場合もある。
【００２６】
図９はロックプレート３の別形態を示す実施例である。このロックプレート３の概略外形は前記図３に示す場合と同じであるが、挟持部１１の先端及び嵌入バー１３に磁石３３，３３を備えている。そして、図１０、図１１、図１２はこのロックプレート３を解錠具２５にて取外す場合を示している。該解錠具２５は前記実施例の場合と同じであって、底部２６には磁石２８ａ，２８ｂを有し、起立部２７には磁石２９を備えている。
【００２７】
そこで、図１０に示すように貸出しケースを載置するならば、磁石２８ａ，２８ｂに引かれてアーム３０ａ，３０ｂは撓み変形し、その結果、ロックツメ１５ａ，１５ｂは係止部８ａ及び係止溝９から解除される。そして、起立部２７の磁石２９とロックプレート３の嵌入バー１３及び挟持部１１の磁石３３，３３は互いに反発して該ロックプレート３を押出すことが出来る。
【００２８】
図１１は該ロックプレート３が磁石２９にて一部押出された場合を示している。ロックプレート３が押出されてケースから一部突出するならば、その後は、手で摘んで引抜くことが出来、図１２はロックプレート３を完全に引き抜いた場合である。この場合、嵌入バー１３及び挟持部１１に取付けられる磁石３３，３３は解錠具２５の起立部２７に取付ける磁石２９と互いに反発する向きにある。
【００２９】
ところで、解錠具２５にてロックプレート３を引き抜くことが出来る解錠作業は、複数枚の貸し出しケースを同時に行うことが出来る。すなわち、複数枚の貸出しケースを並べて解錠具に載置し、解錠作業を行い得る。この場合、ロックプレート３をスライドさせて引き抜く場合、又は押圧してスライドさせる場合、ロックツメ１５ａ，１５ｂを前以て解除することが必要である。その為に、貸出しケースを底部上面に載置した状態で起立部２７側へ移動させるならば、ロックツメ１５ａ，１５ｂを磁石２８ａ，２８ｂにて解除すると共に、磁石２９にてロックプレート３がスライドして取外される。
【図面の簡単な説明】
【００３０】
【図１】本発明の貸出しケースで蓋を開いた状態の概略図。
【図２】(ａ)は本発明の貸し出しケースの正面透視図、(ｂ)は貸出しケースの側面図。
【図３】ロックプレートの実施例。
【図４】ロックプレートを貸出しケースに挿入した場合の外側縁に形成したガイド片と挟持部側片との噛合い状態。
【図５】ロックプレートを貸出しケースに挿入した場合、本体ケース及び蓋から起立して形成したリングの嵌入穴に嵌入バーが嵌入した場合。
【図６】貸出しケースを解錠具に載置した場合。
【図７】解錠具にてロックプレートを一部引き抜いた状態。
【図８】解錠具にてロックプレートを完全に引き抜いた場合。
【図９】ロックプレートの別形態を示す実施例。
【図１０】貸出しケースを解錠具に載置した場合。
【図１１】解錠具にてロックプレートを一部引き抜いた状態。
【図１２】解錠具にてロックプレートを完全に引き抜いた場合。
【符号の説明】
【００３１】
１  本体ケース
２  蓋
３  ロックプレート
４  開口
５  ＤＶＤ収容空間
６  ヘソ
７  ロックプレート収容空間
８  係止部
９  係止溝
10  平板部
11  挟持部
12  挟持片
13  嵌入バー
14  基部
15  ロックツメ
16  背面
17  リブ
18  側片
19  ガイド片
20  ガイド片
21  嵌入穴
22  嵌入穴
23  リング
24  リング
25  解錠具
26  底部
27  起立部
28  磁石
29  磁石
30  アーム
31  磁石
32  磁石
33  磁石
34  係止穴
【図１】
2006232371.tif 000003
【図２】
2006232371.tif 000004
【図３】
2006232371.tif 000005
【図４】
2006232371.tif 000006
【図５】
2006232371.tif 000007
【図６】
2006232371.tif 000008
【図７】
2006232371.tif 000009
【図８】
2006232371.tif 000010
【図９】
2006232371.tif 000011
【図１０】
2006232371.tif 000012
【図１１】
2006232371.tif 000013
【図１２】
2006232371.tif 000014